(57)【要約】【課題】ある特定のステータスを持った画像等のデータを検索する際に、該画像等のデータに特殊な文字列をもったキーワードを登録する登録手段及び、キーワード検索手段を活用することで、特定のステータスを持った画像等のデータを検索することを効率よく行うことが可能な情報処理システムおよび情報処理装置を提供する。【解決手段】ネットワークに接続され、情報の送信が可能なセンタサーバ１０３であって、該ネットワークを介して受信した指令に基づいて、ホルダＤＢ３１５及び、ホルダ用画像位置管理テーブル３１３に画像やキーワード等のデータを登録する画像登録部３０３と、蓄積された画像やキーワード等のデータからキーワード検索行うことが可能なホルダ用画像提供部３０９とを備える。【選択図】        図１
2004178177.tif 000002
【特許請求の範囲】
【請求項１】
ネットワークに接続され、情報の送信が可能な情報処理装置であって、画像やキーワード等のデータを蓄積する画像蓄積手段と、キーワードの入力が可能なキーワード入力手段と、前記キーワード入力手段を介して入力されたキーワードを元に検索を行うキーワード検索手段と、前記キーワード検索手段で使用するキーワードテーブルにキーワードを登録する画像登録手段と、前記キーワード検索手段の検索結果を前記ネットワークを介して送信する画像提供手段とを備えることを特徴とする情報処理装置。
【請求項２】
前記キーワードを登録する画像登録手段で、特殊な文字列のキーワードを登録することが可能な画像登録手段と、前記キーワード検索手段において、特殊な文字列を検索することで、意味のある特殊な検索結果を得ることが可能なキーワード検索手段とを備えることを特徴とする請求項１に記載の情報処理装置。
【発明の詳細な説明】
【０００１】
【発明の属する技術分野】
本発明は、ネットワークを介して情報処理を行う情報処理システムおよび情報処理装置ならびに情報処理方法、記憶媒体、プログラムに関する。
【０００２】
【従来の技術】
例えば、画像等のデータに検索のためのキーワード付けを行う場合、該画像に海や空や砂浜が写っていた場合、「海」「空」「砂浜」等のキーワードをつけていて、例えば新規に登録した画像であることを表わすステータス等を意味するキーワードは付与していなかった。画像等のデータを新規に登録した際に新規マークを付与して区別することや、画像等の付帯情報等を変更した際に更新マークを付与して区別する場合はあるが、キーワードに新規登録や更新等のステータス等を表わす「＃＃＃」等の特殊な文字列であるキーワードは付与していなかった。
【０００３】
【発明が解決しようとする課題】
あるステータスを持った画像等のデータを一覧表示したい場合、キーワード検索機能がすでにあれば、その検索機能を活用して、簡単に、ある所望のステータスを持った画像等のデータを一覧表示できる。
【０００４】
本発明は、上記課題を解決すべく、あるステータスを表わすための特殊な文字列をキーワードとして登録する登録手段と、あるステータスを持った画像等のデータを検索するためのキーワード検索が可能な検索手段とを有する情報処理装置を提供する。
【０００５】
【課題を解決するための手段】
かかる課題を解決するため、例えば本発明の情報処理装置は以下の構成を備える。すなわち、ネットワークに接続され、情報の送信が可能な情報処理装置であって、画像やキーワード等のデータを蓄積する画像蓄積手段と、前記画像蓄積手段に画像やキーワード等のデータを登録する画像登録手段と、前記登録手段で登録したキーワードを検索する検索手段と、前記検索手段において検索するキーワードを入力するキーワード入力手段と、前記検索手段で検索した結果を表示する、画像提供部とを備える。
【０００６】
【発明の実施の形態】
以下、添付図面に従って本発明に係る実施形態を詳細に説明する。
【０００７】
＜情報処理システムのシステム構成＞
図１は、本発明の一実施形態にかかる情報処理システム全体の構成図である。図１中１０１は本実施形態にかかる情報処理システムの利用者である顧客が例えば自宅から直接操作を行うための情報処理装置（図２において後述する、ＣＰＵ、ＲＯＭ、ＲＡＭ、ＨＤＤなどから構成されるコンピュータシステム）であって、以下クライアントコンピュータと記す。
【０００８】
クライアントコンピュータ１０１は、ネットワークを通して後述するセンタサーバ１０３に格納されている例えば画像などの情報を閲覧する機能と、該情報をクライアントコンピュータ１０１内に取得する機能と、センタサーバ１０３の後述するプリントオーダ受注部３０５への画像プリント注文を発注する機能と、センタサーバ１０３の後述するデジタルデータダウンロード受注部３０７へのデジタルデータダウンロード注文を発注する機能とを持つ。なお画像プリント注文は、以下プリントオーダと記し、デジタルデータダウンロード注文は、以下ダウンロードオーダと記す。
【０００９】
１０２は本実施形態における情報処理システムの利用者が例えば会社から直接操作を行うための情報処理装置（図２において後述する、ＣＰＵ、ＲＯＭ、ＲＡＭ、ＨＤＤなどから構成されるコンピュータシステム）であって、以下ホルダコンピュータと記す。なおホルダコンピュータ１０２の利用者のことを、以下ホルダと記す。
【００１０】
ホルダコンピュータ１０２は、画像並びに画像に関する付帯情報を取得する機能と、ネットワークを通して後述するセンタサーバ１０３に該画像ならびに画像に関する付帯情報をアップロードする機能と、閲覧する機能とを持つ。
【００１１】
１０３は主としてクライアントコンピュータ１０１とホルダコンピュータ１０２からの要求に基づいて処理を行う情報処理装置であり、以下センタサーバと記す。
【００１２】
センタサーバ１０３は、ホルダコンピュータ１０２からアップロードされた画像ならびに該画像に関する付帯情報等を格納する機能と、クライアントコンピュータ１０１またはホルダコンピュータ１０２からの要求に基づいて、格納された画像並びに該画像に関する付帯情報の中から要求された画像等を検索し、伝送する機能と、クライアントコンピュータ１０１からのプリントオーダを受信して、受信したプリントオーダに従いプリント制御を行う機能と、クライアントコンピュータ１０１からのダウンロードオーダを受信して、受信したダウンロードオーダに従いダウンロード制御を行う機能とを有する。
【００１３】
１１０は、クライアントコンピュータ１０１、ホルダコンピュータ１０２、センタサーバ１０３を接続する接続装置であって、例えばローカルエリアネットワーク（ＬＡＮ）やインターネットなどのネットワークシステムを表すものであり、以下単にネットワークと記す。なお、本実施形態においては、ネットワーク１１０は一般的なインターネットを使用するが、その他のネットワークシステムを使用しても実現可能である。
【００１４】
また、本実施形態においては、クライアントコンピュータ１０１、ホルダコンピュータ１０２は各々１台ずつ接続されているものとするが、複数台接続されていても本発明は実現可能である。
【００１５】
＜クライアントコンピュータ、ホルダコンピュータ、センタサーバのブロック図＞
図２は本発明の一実施形態にかかる情報処理システムを構成する各情報処理装置のシステム構成を示すブロック図である。なお、本実施形態では、クライアントコンピュータ１０１、ホルダコンピュータ１０２、及びセンタサーバ１０３の内部ハードウエア構成については差異がないため、図２で一括して内部ハードウェア構成の説明を行う。
【００１６】
図２中１００１は情報処理装置の制御をつかさどる中央演算処理装置（以下ＣＰＵと記す）である。
【００１７】
１００２はランダムアクセスメモリ（以下ＲＡＭと記す）であり、ＣＰＵ１００１の主メモリとして、及び実行プログラムの領域や該プログラムの実行エリアならびにデータエリアとして機能する。
【００１８】
１００３はＣＰＵ１００１の動作処理手順を記憶しているリードオンリーメモリ（以下ＲＯＭと記す）である。ＲＯＭ１００３には情報処理装置の機器制御を行うシステムプログラムである基本ソフト（ＯＳ）を記録したプログラムＲＯＭと、システムを稼働するために必要な情報等が記録されたデータＲＯＭとがある。ＲＯＭ１００３の代わりに後述のＨＤＤ１００９を用いる場合もある。
【００１９】
１００４はネットワークインターフェース（ＮＥＴＩＦ）であり、ネットワークを介して情報処理装置間のデータ伝送を行うための制御や接続状況の診断を行う。
【００２０】
１００５はビデオＲＡＭ（ＶＲＡＭ）で、情報処理装置の稼働状態を示す後述する表示装置１００６の画面に表示される画像を展開し、その表示の制御を行う。
【００２１】
１００６は表示装置であって、例えばディスプレイなどである。以下ＣＲＴと記す。
【００２２】
１００７は後述する外部入力装置１００８からの入力信号を制御するためのコントローラである。
【００２３】
１００８は情報処理装置の利用者が情報処理装置に対して行う操作を受けつけるための外部入力装置であり、例えばキーボードや、マウスなどのポインティングデバイスであり、以下単にＫＢと記す。
【００２４】
１００９はハードディスクドライブ（ＨＤＤ）を示し、アプリケーションプログラムや、画像データなどのデータ保存用に用いられる。本実施形態におけるアプリケーションプログラムとは、本実施形態にかかる情報処理装置において各処理を実行するアプリケーションプログラムなどである。
【００２５】
１０１０は外部入出力装置であって、例えばフロッピー（Ｒ）ディスクドライブ、ＣＤＲＯＭドライブなどのリムーバブルディスクを入出力するものであり、上述したアプリケーションプログラムの媒体からの読み出しなどに用いられる。以下、単にＦＤＤと記す。なお、ＨＤＤ１００９に格納するアプリケーションプログラムやデータをＦＤＤ１０１０に格納して使用することも可能である。
【００２６】
１０１１はプリンタ制御装置であって、後述する外部出力装置１０１２の制御と出力する画像の制御を行う。以下ＰＲＴＣと記す。
【００２７】
１０１２は外部出力装置であって、例えばプリンタであり、以下ＰＲＴと記す。
【００２８】
１０１３は拡張外部入出力装置制御装置であり、後述する拡張外部入出力装置１０１４を制御する。以下、ＣＴＬＲと記す。
【００２９】
１０１４は拡張外部入出力装置であり、例えばスキャナのように印刷物を読み取るなど、画像データの外部入力機能を持つ装置である。以下単にスキャナと記す。
【００３０】
１０００は上述した各ユニット間を接続するための入出力バス（アドレスバス、データバス、及び制御バス）である。
【００３１】
なお、クライアントコンピュータ１０１、ホルダコンピュータ１０２において、ＰＲＴＣ１０１１、ＰＲＴ１０１２、ＣＴＬＲ１０１３、スキャナ１０１４は接続されていなくても、本発明は実現可能である。
【００３２】
＜ホルダコンピュータ＞
図５はホルダが実際に使用する情報処理装置であるホルダコンピュータ１０２の構成を表す説明図であり、ＲＯＭ１００３、ＨＤＤ１００９、またはＦＤＤ１０１０より読み込まれてＲＡＭ１００２に展開され使用されるアプリケーションプログラムとして、ネットワーク閲覧部５０１、画像作成部５０２、各種データ入力部５０３、及びアップロードファイル作成部５０４とが存在している。
【００３３】
ネットワーク閲覧部５０１は、ネットワークを通してインターネットなど外部からのサービスを受けることを可能にするアプリケーションプログラム（いわゆるインターネットブラウザなどの一般的なアプリケーションプログラム）である。
【００３４】
画像作成部５０２は、スキャナ１０１４などを用いてデジタイズされた画像を取り込み、該画像のサイズやフォーマットを変更するなどの加工をすることで各種画像を作成するアプリケーションプログラムである。
【００３５】
なお本実施形態では、スキャナ１０１４により取り込まれた画像を納品画像と呼ぶ。また該納品画像より画像作成部５０２において作成される各種画像としては、表示用画像、編集用画像、拡大表示用画像、低解像度ダウンロード用画像、中解像度ダウンロード用画像、高解像度ダウンロード用画像があげられる。表示用画像とは、インターネットブラウザ等のネットワーク閲覧部５０１または４０１（後述）上で表示する目的で作成される低解像度の画像をいい、編集用画像とは、表示に加え、編集を目的とした中解像度の画像をいう。拡大表示用画像とは、プリント目的で使用するための高解像度の画像をいう。また、低解像度ダウンロード用画像、中解像度ダウンロード用画像、高解像度ダウンロード用画像とは、デジタルデータのダウンロード目的で使用するためのそれぞれ低解像度、中解像度、高解像度の画像をいう。以下、各種画像とは、画像作成部５０２により作成された、表示用画像、編集用画像、拡大表示用画像、低解像度ダウンロード用画像、中解像度ダウンロード用画像、高解像度ダウンロード用画像の総称として用いるものとする。
【００３６】
各種データ入力部５０３は、画像作成部５０２により作成された各種画像に関する各種データを入力することを可能にするアプリケーションプログラムである。以下各種データとは、画像作成部５０２により作成された各種画像のホルダコンピュータ１０２上における位置を示すファイルパス等により表されるデータや、画像の作成日等のデータや、各画像に属するキーワード等のデータや、カテゴリに関する情報を示すデータ等をいう。
【００３７】
アップロードファイル作成部５０４は、各種データ入力部５０３で入力された各種データを用いて、アップロードするためのアップロードファイルを作成することを可能とするアプリケーションプログラムである。
【００３８】
＜センタサーバ＞
図３はセンタサーバ１０３内の各処理部及び管理データを表す構成図である。図３中３０１、３０２、３０３、３０４、３０５、３０６、３０７、３０８及び３０９の各処理部はアプリケーションプログラムであって、ＲＯＭ１００３、ＨＤＤ１００９またはＦＤＤ１０１０より読み込まれＲＡＭ１００２に展開されて使用される。３１１、３１２、３１３、３１４、３１５、及び３１６はＨＤＤ１００９内に格納されるデータである。
【００３９】
文書提供部３０１は、インターネットなどのネットワークを通してクライアントコンピュータ１０１、及びホルダコンピュータ１０２より要求のあった文書（テキスト、画像、またはテキスト及び画像を組み合わせたもの）をＨＤＤ１００９から検索して送信することを可能にするアプリケーションプログラムである。上記文書提供部３０１は、一般的にインターネットサーバプログラムまたはＷＷＷサーバプログラムと呼ばれているもので、文書の送信の他に、クライアントコンピュータ１０１、及びホルダコンピュータ１０２からの要求に応じてＨＤＤ１００９内などに格納されているアプリケーションプログラムをＲＡＭ１００２に展開して使用することと、必要に応じて外部からの要求に対して利用者のユーザーＩＤの認証を行い、送信するデータを制限することを可能にするアプリケーションプログラムである。
【００４０】
マスタ用画像提供部３０２は、クライアントコンピュータ１０１の要求に基づいて、クライアントコンピュータ１０１が要求する登録画像を後述する画像格納装置３１１から検索し、文書提供部３０１を介してクライアントコンピュータ１０１に送信することを可能にするアプリケーションプログラムである。マスタ用画像提供部３０２の詳細な説明は図１１を用いて後述する。
【００４１】
ホルダ用画像提供部３０９は、ホルダコンピュータ１０２の要求に基づいて、ホルダコンピュータ１０２が要求する登録画像を後述する画像格納装置３１１から検索し、文書提供部３０１を介してホルダコンピュータ１０２に送信することを可能にするアプリケーションプログラムである。ホルダ用画像提供部３０９の詳細な説明は図６を用いて後述する。
【００４２】
画像登録部３０３は、ホルダコンピュータ１０２の要求に基づいて、ホルダコンピュータ１０２上のアップロードファイル作成部５０４で作成したアップロードファイルを、文書提供部３０１を介してホルダコンピュータ１０２より受領し、該アップロードファイルの登録画像（または配信画像）を画像格納装置３１１に新たに格納する機能並びに、画像格納装置３１１にすでに格納されている登録画像（または配信画像）に対して、ホルダコンピュータ１０２より受領した画像を持って更新する機能並びに、アップロードファイル作成部５０４で埋め込まれた各種データを後述するアップロードファイル一時格納装置３１６に格納する機能並びに、アップロードファイル一時格納装置３１６に格納された各種データを後述するホルダＤＢ３１５に新規登録する機能並びに、アップロードファイル一時格納装置３１６に格納された各種データを持ってホルダＤＢ３１５にすでに登録されている各種データを更新する機能並びに、上記新規登録または上記更新する際に、新規登録または更新したことを表わすフラグをアップロードファイル一時格納装置３１６に格納する機能並びに、新規登録または更新したことを表わすフラグを持って、後述するデフォルトカテゴリに関する情報をホルダＤＢ３１５上に格納する機能並びに、同期手段３０４において該画像格納部を同期するかしないかをあらわすフラグをホルダＤＢ３１５上に格納する機能並びに、該画像格納部の各画像について同期するかしないかをあらわすフラグをホルダＤＢ３１５上に格納する機能並びに、該画像に関して後述するキーワードテーブルに後述する新規・更新キーワードを格納する機能を有するアプリケーションプログラムである。アップロードファイル一時格納装置３１６に格納される新規登録または更新したことを表わすフラグのことを、以下それぞれ新規フラグ及び、更新フラグと記す。またこれらを総称して、新規・更新フラグと記す。新規・更新フラグを、デフォルトカテゴリに関する情報に変換してホルダＤＢ３１５上に反映すると、アップロードファイル一時格納装置３１６から削除される。ホルダＤＢ３１５上に格納される同期するかしないかをあらわすフラグのことを、以下該画像格納部の同期フラグと記す。該画像格納部の各画像について同期するかしないかをあらわすフラグのことを、以下各画像毎の同期フラグと記す。画像登録部３０３の詳細な説明は図１２を用いて後述する。
【００４３】
マスター用画像提供部３０２、後述するプリントオーダ受注部３０５及び後述するダウンロード受注部３０７は、クライアントコンピュータ１０１からの要求に基づいて、文書提供部３０１によってＨＤＤ１００９内などからＲＡＭ１００２に展開して使用するアプリケーションプログラムであって、一般的にＣＧＩプログラムと呼ばれているものである。また画像登録部３０３及びホルダ用画像提供部３０９は、ホルダコンピュータ１０２からの要求に基づいて、文書提供部３０１によってＨＤＤ１００９内などからＲＡＭ１００２に展開して使用するアプリケーションプログラムであって、一般的にＣＧＩプログラムと呼ばれているものである。
【００４４】
同期手段３０４は、センタサーバ１０３上でタイマーなどにより自動的に起動するか、センタサーバ１０３のオペレータが手動で起動するアプリケーションプログラムで、ホルダＤＢ３１５の内容を後述するマスタＤＢ３１４に反映し、後述するホルダ用画像位置管理テーブル３１３を、後述するマスタ用画像位置管理テーブル３１２に反映することを可能にするアプリケーションプログラムである。同期手段３０４の詳細な説明は図７を用いて後述する。
【００４５】
プリントオーダ受注部３０５は、クライアントコンピュータ１０１の要求に基づいて、文書提供部３０１を介して、クライアントコンピュータ１０１からのプリントオーダを受信して、プリント指示を後述するプリント部３０６に対して行うことを可能とするアプリケーションプログラムである。
【００４６】
プリント部３０６は、プリントオーダ受注部３０５において受注したプリントオーダのプリント制御を行い、プリント処理を行う。なお、本実施形態においてはセンタサーバ１０３においてプリントするものとしたが、ネットワーク１１０上に接続されたＰＲＴに対してプリント制御することも可能である。なお、本プリント部は本実施形態を説明する上で直接的には関連しないのでプリント制御方法など詳細なる説明は省略する。
【００４７】
ダウンロードオーダ受注部３０７は、クライアントコンピュータ１０１の要求に基づいて、文書提供部３０１を介して、クライアントコンピュータ１０１からのダウンロードオーダを受信して、ダウンロード指示を後述するダウンロード部３０８に対して行うことを可能とするアプリケーションプログラムである。
【００４８】
ダウンロード部３０８は、ダウンロードオーダ受注部３０７において受注したダウンロードオーダのダウンロード制御を行い、クライアントコンピュータ１０１によるダウンロード処理をサポートする。なお、本ダウンロード部は本実施形態を説明する上で直接的には関連しないのでダウンロード制御方法など詳細なる説明は省略する。
【００４９】
画像格納装置３１１はホルダコンピュータ１０２において作成され、アップロードされたアップロードファイルのうち、各種データを削除したものを格納している。アップロードファイルのうち、各種データを削除したものとは、すなわち、ホルダコンピュータ１０２で作成された登録画像および配信画像と同じものであるが、以下かかる画像を総称して画像ファイルと呼ぶこととする。
【００５０】
マスタ用画像位置管理テーブル３１２、及びホルダ用画像位置管理テーブル３１３は図１０で後述するように画像ファイルの格納位置の管理テーブルであり、画像格納装置３１１内に格納されている画像ファイルのフルパスと、後述するイメージＩＤとの対応を管理する。
【００５１】
ホルダＤＢ３１５はデータベースであり、ステップＳ１３０５でアップロードされ、ステップＳ１３０６において付帯情報付登録画像（または付帯情報付配信画像）のコメント領域や画像に関する付帯情報から読み出される各種データ及び、画像に関する付帯情報から読み出されるカテゴリに関する情報を格納する。カテゴリに関する情報についての詳細な説明は図８を用いて後述する。
【００５２】
マスタＤＢ３１４はデータベースであり、マスタＤＢ３１４に格納されている各種データは、同期手段３０４によってホルダＤＢ３１５に格納されている各種データから必要なデータをコピーしたものである。
【００５３】
なお、マスタＤＢ３１４に格納された各種データを元に戻したいときは、同期手段３０４によりホルダＤＢ３１５の各種データをマスタＤＢ３１４にコピーする。
【００５４】
また、ホルダ用画像位置管理テーブル３１３およびホルダＤＢ３１５に格納された内容はホルダコンピュータ１０２を利用するホルダによってみることができ、一方、マスタ用画像位置管理テーブル３１２およびマスタＤＢ３１４に格納された内容はクライアントコンピュータ１０１の利用者によって閲覧することが可能である。
【００５５】
アップロードファイル一時格納装置３１６では、アップロードされたアップロードファイル及び、アップロードされたアップロードファイルに含まれる各種データを、画像登録部３０３により、画像格納装置３１１に格納する前に、あるいはホルダＤＢ３１５に格納する前に一時的に保管する。
【００５６】
＜ホルダ用画像提供部＞
図６は、センタサーバ１０３におけるホルダ用画像提供部３０９を説明する処理フロー図である。
【００５７】
ステップＳ６０１において、ホルダＤＢ３１５に各種データが格納されているか否かを調べる。各種データがなければ本処理を終了する。あれば、ステップＳ６０２へ進む。
【００５８】
ステップＳ６０２では、前述のステップＳ６０１で調べられたすべての画像に対して、デフォルトカテゴリに関する情報を保持しているか否かを調べる。デフォルトカテゴリに関する情報を保持していなければ、ステップＳ６０４で画像の検索へと進む。デフォルトカテゴリに関する情報を保持していれば、ステップＳ６０３に進む。
【００５９】
ステップＳ６０３では、新規登録分カテゴリ及び、更新分カテゴリの２つのカテゴリを、文書提供部３０１を介して、ホルダコンピュータ１０２上のネットワーク閲覧部５０１に送信し、ステップＳ６０４へ進む。新規登録分カテゴリ及び、更新分カテゴリの２つのカテゴリのことを、以下デフォルトカテゴリと記す。
【００６０】
ステップＳ６０４では、カテゴリ検索及び、キーワード検索及び、画像番号検索を使用して画像の検索を行い、本処理を終了する。ステップＳ６０４についての詳細な説明は図１４を用いて後述する。
【００６１】
以上により、ネットワーク閲覧部５０１上で、カテゴリ及び、デフォルトカテゴリ及び、各種検索結果を表示することができる。
【００６２】
＜マスタ用画像提供部＞
図１１は、センタサーバ１０３におけるマスタ用画像提供部３０２を説明する処理フロー図である。
【００６３】
ステップＳ１２０１において、マスタＤＢ３１４に各種データが格納されているか否かを調べる。各種データがなければ本処理を終了する。あれば、ステップＳ１２０２へ進む。
【００６４】
ステップＳ１２０２では、カテゴリ検索及び、キーワード検索及び、画像番号検索を使用して画像の検索を行い、本処理を終了する。ステップＳ１２０２は、ステップＳ６０４とほぼ同一なので、ステップＳ１２０２についての詳細な説明はステップＳ６０４を説明する図１４を用いて後述する。
【００６５】
図１１は、図６からステップＳ６０２及び、ステップＳ６０３を除いたフロー図と同一である。これは、マスタＤＢ３１４には、デフォルトカテゴリに関するデータがないためである。
【００６６】
以上により、ネットワーク閲覧部４０１上で、カテゴリ及び、各種検索結果を表示することができる。
【００６７】
＜同期手段＞
図７は、センタサーバ１０３における同期手段３０４を説明する処理フロー図である。ステップＳ７０１では、ホルダＤＢ３１５に該画像格納部の同期フラグがあるかを確認する。該画像格納部の同期フラグに値が記述されていれば、ステップＳ７０２へ進む。なければ本処理を終了する。
【００６８】
ステップＳ７０２では、前述のステップＳ７０１で確認された該画像格納部の同期フラグを削除し、ステップＳ７０３へ進む。
【００６９】
ステップＳ７０３では、前述のステップＳ７０１において同期フラグがあるかどうかの確認の対象となった該画像格納部内に、同期の対象となる各種データがあるか否かを調べる。同期の対象となる各種データがあれば、ステップＳ７０４へ進む。なければ、次の画像格納部が同期の対象となっているか調べるためにステップＳ７０１へ戻る。
【００７０】
ステップＳ７０４では、該データが後述するカテゴリ構造に関するデータか否かを調べる。該データがカテゴリ構造に関するデータならば、ステップＳ７０５へ進む。カテゴリ構造に関するデータではないならば、ステップＳ７０８へ進む。
【００７１】
ステップＳ７０５では、該データがデフォルトカテゴリのカテゴリ構造に関するデータか否かを調べる。該データがデフォルトカテゴリのカテゴリ構造に関するデータならば、ステップＳ７０６へ進む。デフォルトカテゴリのカテゴリ構造に関するデータではないならば、ステップＳ７０７へ進む。
【００７２】
ステップＳ７０６では、該データをホルダＤＢ３１５からマスタＤＢ３１４にコピーしない。ステップＳ７０５から進んできた場合は、ステップＳ７０３へ戻る。後述するステップＳ７１０または、後述するステップＳ７１１から進んできた場合は、ステップＳ７０９へ戻る。本実施形態においては、デフォルトカテゴリのカテゴリ構造に関するデータ及び、デフォルトカテゴリに関するデータ及び、新規・更新キーワードはコピーしない。つまりデフォルトカテゴリのカテゴリ構造に関するデータ及び、デフォルトカテゴリに関するデータ及び、新規・更新キーワードは同期の対象からはずす。
【００７３】
ステップＳ７０７では、該データをホルダＤＢ３１５からマスタＤＢ３１４にコピーする。ステップＳ７０５から進んできた場合は、ステップＳ７０３へ戻る。後述するステップＳ７１１から進んできた場合は、ステップＳ７０９へ戻る。
【００７４】
ステップＳ７０８では、同期の対象となる画像の同期フラグがあるかを確認する。該画像の同期フラグがあれば、ステップＳ７０９へ進む。該画像の同期フラグがなければ、ステップＳ７０３へ戻る。
【００７５】
ステップＳ７０９では、該画像に属する同期の対象となる各種データのうち、まだ同期していないデータがあるか否かを調べる。まだ同期の対象となるデータがある場合は、ステップＳ７１０へ進む。該画像に属する各種データはすべて同期が完了し、同期の対象となるデータが残っていない場合は、ステップＳ７０３へ戻る。
【００７６】
ステップＳ７１０では、該データがデフォルトカテゴリに関するデータか否かを調べる。デフォルトカテゴリに関するデータならば、ステップＳ７０６へ進む。デフォルトカテゴリに関するデータではないならば、ステップＳ７１１へ進む。つまり、デフォルトカテゴリに関するデータは、同期の対象ではない。本実施形態においてデフォルトカテゴリに関するデータの一例として、後述する図１３中１４１２及び、１４１４及び、１４１５及び、１４１６及び、１４１９がある。
【００７７】
ステップＳ７１１では、該データが新規・更新キーワードか否かを調べる。該データが新規・更新キーワードならば、ステップＳ７０６へ進む。新規・更新キーワードでないならば、ステップＳ７０７へ進む。つまり、新規・更新キーワードは、同期の対象ではない。本実施形態においては、後述する図１７中１８１３及び、１８１９は同期の対象ではない。
【００７８】
以上により、ホルダＤＢ３１５に格納されている各種データのうち、デフォルトカテゴリのカテゴリ構造に関するデータ及び、デフォルトカテゴリに関するデータ及び、新規・更新キーワードを除いたデータが、マスタＤＢ３１４に反映される。
【００７９】
＜カテゴリに関する情報＞
図８は、本実施形態におけるカテゴリ構造を示す一例である。画像格納部Ａ８０１がその下の階層に、カテゴリＡ８０２及び、カテゴリＢ８０３及び、カテゴリＣ８０４を持つことを表わしている。カテゴリＡ８０２の下の階層には、カテゴリａ８０５及び、カテゴリｂ８０６を持つことを表わしている。カテゴリｂ８０６の下の階層には、カテゴリＩ８０７及び、カテゴリＩＩ８０８を持つことを表わしている。画像格納部Ｂ８０９の下の階層には、カテゴリＤ８１０及び、カテゴリＥ８１１を持つことを表わしている。カテゴリＤ８１０の下の階層には、カテゴリｃ８１２を持つことを表わしている。カテゴリＥ８１１の下の階層には、カテゴリｄ８１３及び、カテゴリｅ８１４を持つことを表わしている。本実施形態では、一番下の階層のカテゴリ、つまりカテゴリａ８０５及び、カテゴリＩ８０７及び、カテゴリＩＩ８０８及び、カテゴリｃ８１２及び、カテゴリｄ８１３及び、カテゴリｅ８１４のみがその直下に画像を配置することができ、その他のカテゴリは、その下の階層にはカテゴリしか配置できない。
【００８０】
図９は、図８の画像格納部Ｂ８０９以下のカテゴリ構造の一部を表わすカテゴリ構造テーブルの一例である。９０１はカテゴリＩＤであり、本実施形態においてカテゴリを一意に特定するための符号である。９０２はカテゴリ名であり、カテゴリＩＤ９０１に対応するカテゴリの名前である。９０３は親カテゴリＩＤであり、該カテゴリＩＤのひとつ上の階層にあるカテゴリＩＤである。親カテゴリＩＤ９０３に値がない場合は、そのカテゴリは画像格納部である。カテゴリＩＤが「−２０１」のカテゴリＥ及び、「−２０２」のカテゴリｄ及び、「−２０３」のカテゴリｅは、カテゴリＩＤの値がマイナスであり、デフォルトカテゴリである。本実施形態において、カテゴリＩＤが「−２０２」のカテゴリｄが画像格納部Ｂの新規登録分カテゴリになる。カテゴリＩＤが「−２０３」のカテゴリｅが画像格納部Ｂの更新分カテゴリになる。マスタＤＢ３１４の該画像格納部にない画像に関するデータがアップロードファイル一時格納装置３１６にアップロードされると、アップロードファイル一時格納装置３１６に新規フラグが格納される。マスタＤＢ３１４の該画像格納部にある画像に関するデータがアップロードファイル一時格納装置３１６にアップロードされると、アップロードファイル一時格納装置３１６に更新フラグが格納される。上記のマスタＤＢ３１４の該画像格納部に存在する画像か存在しない画像かの判断は、アップロードするデータ内に含まれる画像番号で調べられる。つまり同じ画像番号が該画像格納部にあれば、更新フラグが格納され、なければ新規フラグが格納される。本実施形態においては画像番号は各種画像のファイル名または、画像に関する付帯情報ファイル内に含まれる。新規フラグが格納された該画像に関するデータをホルダＤＢ３１５に反映する際に、該画像は新規登録分カテゴリに配置される。更新フラグが格納された該画像に関するデータをホルダＤＢ３１５に反映する際、該画像は更新分カテゴリに配置される。新規登録分カテゴリと更新分カテゴリはホルダＤＢ３１５に存在しマスタＤＢ３１４には存在しない。同期手段３０４は、新規登録分カテゴリ及び、更新分カテゴリに関する情報をマスタＤＢにコピーしない。
【００８１】
図１３は、イメージＩＤと該画像が所属するカテゴリの対応関係を表わす、画像−カテゴリ対応テーブルの一例である。１４０１はイメージＩＤであり、イメージＩＤ１４０１は後述する図１０のイメージＩＤ１１０１と同一または同様な、本実施形態において該画像格納部で画像ファイルを一意に特定するための符号である。
【００８２】
１４０２はカテゴリＩＤであり、該画像が所属するカテゴリＩＤを特定する。
【００８３】
行１４１１では、カテゴリＩＤ１４０２が２０３であり、図９よりカテゴリＩＤ９０１が２０３なのは行９１４であり、そのときのカテゴリ名９０２はカテゴリｃである。カテゴリｃは図８でカテゴリｃ８１２に相当する。つまりイメージＩＤ１４０１がＣＡＮＯＮ／ＰＳ０１／２０００ＡＢＣ００１の画像はカテゴリｃに所属する。
【００８４】
同様に行１４１２が示すように、ＣＡＮＯＮ／ＰＳ０１／２０００ＡＢＣ００１は更新分カテゴリであるカテゴリｅにも所属する。
【００８５】
＜検索＞
図１４は、ステップＳ６０４及び、ステップＳ１２０２及び、ステップＳ１３０３の画像の検索を説明する処理フロー図である。
【００８６】
ステップＳ１５０１において、カテゴリ検索を行うならば、ステップＳ１５０２へ進みカテゴリ検索を行う。カテゴリ検索以外の検索ならば、ステップＳ１５０３へ進む。
【００８７】
ステップＳ１５０２では、カテゴリ検索を行う。ステップＳ１５０２の詳細な説明は図１５を用いて後述する。ステップＳ１５０３において、キーワード検索を行うならば、ステップＳ１５０４へ進みキーワード検索を行う。キーワード検索以外ならば、ステップＳ１５０５へ進み、画像番号検索を行う。ステップＳ１５０４の詳細な説明は図１６を用いて後述する。ステップＳ１５０５における画像番号検索については、本発明に影響を及ぼさないため詳細な説明は省略する。
【００８８】
以上により、カテゴリ検索及び、キーワード検索及び、画像番号検索が実現する。
【００８９】
＜カテゴリ検索＞
図１５は、ステップＳ１５０２におけるカテゴリ検索を説明するものである。１６０１は、ネットワーク閲覧部４０１または、ネットワーク閲覧部５０１上に、画像格納部Ｂの内容を表示している一例である。
【００９０】
画像格納部Ｂには、カテゴリＤとカテゴリＥが存在する。ネットワーク閲覧部上でカテゴリＤをクリックすることにより、ネットワーク閲覧部上の表示は、１６０２に遷移する。
【００９１】
１６０２は、カテゴリＤの内容を、ネットワーク閲覧部上に表示している一例である。
【００９２】
１６０３も同様に、カテゴリＥの内容を表示している一例である。ネットワーク閲覧部上で、カテゴリｃまたは、カテゴリｄまたは、カテゴリｅ等の最下層のカテゴリをクリックすることにより、ネットワーク閲覧部上の表示は、１６０４に遷移する。
【００９３】
１６０４は、ネットワーク閲覧部上に、カテゴリｃまたは、カテゴリｄまたは、カテゴリｅの内容を表示している一例である。最下層のカテゴリには、画像が表示される。本実施形態では、最下層のカテゴリ以外には画像は表示されない。
【００９４】
本実施形態においては１６０３のカテゴリＥはデフォルトカテゴリであり、カテゴリｄは新規登録分カテゴリであり、カテゴリｅは更新分カテゴリである。ステップＳ６０４においては、デフォルトカテゴリのカテゴリ検索は存在するが、ステップＳ１２０２においては存在しない。
【００９５】
＜キーワード検索＞
図１６は、ステップＳ１５０４におけるキーワード検索を説明するものである。１７０１は、ネットワーク閲覧部４０１または、ネットワーク閲覧部５０１上の、キーワード検索を行う画面の一例である。１７０２は検索したいキーワードを入力するキーワード入力部である。検索したキーワードを入力した後、１７０３の検索開始ボタンをクリックすることでキーワード検索を開始する。キーワード検索を開始すると、後述するキーワードテーブルから、一致するキーワードを持つイメージＩＤを検索する。図１５の１６０４と同様、検索した画像を列挙することで検索結果を表示する。本実施形態ではカテゴリＡ及び、カテゴリＢ及び、カテゴリＣ等が表示されているが、表示されていなくても本発明は実施可能である。
【００９６】
＜キーワードテーブル＞
図１７中１８１０は、キーワードテーブルの一例である。１８０１は、イメージＩＤであり、イメージＩＤ１８０１は後述する図１０のイメージＩＤ１１０１と同一または同様な、本実施形態において該画像格納部で画像ファイルを一意に特定するための符号である。
【００９７】
１８０２はキーワードであり、該画像が持つキーワードを表わす。１８１１、１８１２、１８１３が示すように、イメージＩＤがＣＡＮＯＮ／ＰＳ０１／２０００ＡＢＣ００１の画像は、キーワードとして、「海」及び、「砂浜」及び、「＃＃＃」を持つ。
【００９８】
ここで「＃＃＃」は、本実施形態において、新規・更新キーワードである。本発明では「＃＃＃」ではなくても実現可能である。例えば「＃＄％」ような特殊な文字列でも実現可能である。
【００９９】
アップロードファイル一時格納装置３１６から、ホルダＤＢ３１５へ各種データを反映する際に、新規登録、または更新する画像すべてに対して、新規・更新キーワードが格納される。この結果、キーワード入力部１７０２に「＃＃＃」と入力してキーワード検索をすることで、新規登録または、更新した画像すべてを検索することができる。
【０１００】
＜画像位置管理テーブル＞
図１０中１１１０は、センタサーバ１０３におけるマスタ用画像位置管理テーブル３１２、及びホルダ用画像位置管理テーブル３１３の管理テーブルの一例である。
【０１０１】
１１０１は、イメージＩＤであり本実施形態において画像ファイルを一意に特定するための符号である。
【０１０２】
１１０２は、イメージＩＤ１１０１に対応する画像ファイルの格納場所をフルパスで示したものである。
【０１０３】
センタサーバ１０３上の画像位置管理テーブル１１１０中の画像位置管理データ１１１１、１１１２、１１１３、１１１４は、マスタ用画像位置管理テーブル３１２、及びホルダ用画像位置管理テーブル３１３に格納する画像位置管理データの一例である。
【０１０４】
＜画像登録部＞
図１２は、センタサーバ１０３における画像登録部３０３を説明する処理フロー図である。
【０１０５】
ステップＳ１３０１では、アカウントＩＤとパスワードを入力して、文書提供部３０１での認証を得る。
【０１０６】
ステップＳ１３０２では、画像格納装置３１１の中に複数の画像格納部があれば、更新する画像格納部を選択する。
【０１０７】
ステップＳ１３０３では、必要であればホルダ用画像提供部３０９を介して画像格納部にある画像ファイルの情報を調べる。ステップＳ１３０３の詳細な説明は図１４を用いて前述してある。
【０１０８】
ステップＳ１３０４では、ホルダコンピュータ１０２上にある、アップロードファイル作成部５０４において作成されたアップロードファイルのうち、ステップＳ１３０５でアップロードするアップロードファイルを選択する。
【０１０９】
ステップＳ１３０５では、ステップＳ１３０４で選択されたアップロードファイルをホルダコンピュータ１０２の要求に基づいて、文書提供部３０１、及び画像登録部３０３を介して、センタサーバ１０３のアップロードファイル一時格納装置３１６にアップロードする。
【０１１０】
ステップＳ１３０６では、ステップＳ１３０５でアップロードされたアップロードファイルのコメント領域を読み込む。
【０１１１】
ステップＳ１３０７では、アップロードファイル一時格納装置３１６に一時的に格納されたアップロードファイルのうち画像ファイルのみを画像格納装置３１１に格納し、その他の各種データをアップロードファイル一時格納装置３１６に格納する。
【０１１２】
ステップＳ１３０８では、ステップＳ１３０７においてアップロードファイル一時格納装置３１６に格納された各種データをホルダーＤＢ３１５に反映し、ホルダ用画像位置管理テーブル３１３において、イメージＩＤと格納場所との関連付けを行う。
【０１１３】
以上により、アップロードされたアップロードファイルの内容が、画像格納装置３１１、及びホルダＤＢ３１５に反映される。
【０１１４】
＜クライアントコンピュータ＞
図４は利用者が実際に使用する情報処理装置であるクライアントコンピュータ１０１の構成を表す説明図であり、ＲＯＭ１００３、ＨＤＤ１００９、またはＦＤＤ１０１０より読み込まれてＲＡＭ１００２に展開され使用されるアプリケーションプログラムとして、ネットワーク閲覧部４０１、データ処理部４０２、及び該拡張部４０３が存在している。
【０１１５】
ネットワーク閲覧部４０１は、ネットワークを通してインターネットなど外部からのサービスを受けることを可能にするアプリケーションプログラム（いわゆるインターネットブラウザなどの一般的なアプリケーションプログラム）である。
【０１１６】
拡張部４０３はＨＤＤ１００９に記憶されており、ネットワーク閲覧部４０１の機能を拡張することを目的とした一般的にプラグインモジュールと呼ばれるプログラムである。拡張部４０３はネットワーク閲覧部４０１と共にＲＡＭ１００２に展開されて使用可能となり、ネットワーク閲覧部４０１と共に稼動して、データ処理部４０２で扱うデータをネットワーク上から取得する機能と、ＣＲＴ１００６を通して該データを表示する機能と、該データをデータ処理部４０２に転送する機能と、データ処理部４０２が作成したプリントオーダデータをネットワークに送信する機能を有する。
【０１１７】
データ処理部４０２は、文字列、図形、イメージ等のデータを含む文書の作成、編集、文書データのページ記述言語への変換機能の他、ネットワーク閲覧部４０１内で稼動する拡張部４０３を通じてセンタサーバ１０３から、例えば編集用画像を取得し、編集後のページ記述言語を含むプリントオーダを作成すると同時にプリントオーダに含まれる画像のサイズを算出して、拡張部４０３を通じてセンタサーバに上記プリントオーダを発注する機能を有する。
【０１１８】
なお、データ処理部４０２が有するプリントオーダの発注機能をセンタサーバ１０３のプリントオーダ受注部３０５で実施し、かつ拡張部４０３が有するデータ表示機能及びプリントオーダデータ送信機能を、ネットワーク閲覧部４０１を用いて行うことにより、データ処理部４０２及び拡張部４０３がなくても、本発明は実施可能である。
【０１１９】
以上、本実施形態で説明したように、キーワードテーブルの新規登録分及び、更新分の画像のレコードに「＃＃＃」というキーワードを付与することにより、キーワード入力部１７０２に「＃＃＃」のキーワードを入力し、キーワード検索手段を有するホルダ用画像提供部３０９を介してネットワーク閲覧部５０１上に検索結果を表示することで、新規登録分及び、更新分のデータを簡便に検索することが可能になる。
【０１２０】
（他の実施形態）
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【０１２１】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【０１２２】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【０１２３】
本発明を上記記憶媒体に適用する場合、その記憶媒体には、先に説明したフローチャートに対応するプログラムコードが格納されることになる。
【０１２４】
【発明の効果】
以上、説明したごとく本発明によれば、ある特定のステータスをもった画像等のデータを検索する際に、キーワード検索を活用して、特定のステータスを持った画像等のデータに対して特殊な文字列のキーワードを付与することで、効率よく特定のステータスを持った画像等のデータを検索することが可能な情報処理システムおよび情報処理装置を提供することが可能になる。
【図面の簡単な説明】
【図１】本発明の一実施の形態にかかるシステム構成図である。
【図２】本発明の一実施の形態にかかるクライアントコンピュータ、ホルダコンピュータ、及びセンタサーバのシステム構成を示すブロック図である。
【図３】本発明の一実施の形態にかかるセンタサーバのモジュール構成図である。
【図４】本発明の一実施の形態にかかるクライアントコンピュータのモジュール構成図である。
【図５】本発明の一実施の形態にかかるホルダコンピュータのモジュール構成図である。
【図６】本発明の一実施の形態にかかるホルダ用画像提供部の処理を示すフローチャートである。
【図７】本発明の一実施の形態にかかる同期手段の処理を示すフローチャートである。
【図８】本発明の一実施の形態にかかるカテゴリの構造を示す図である。
【図９】本発明の一実施の形態にかかるカテゴリ構造テーブルを示す図である。
【図１０】本発明の一実施の形態にかかる画像管理テーブルを示す図である。
【図１１】本発明の一実施の形態にかかるマスタ用画像提供部の処理を示すフローチャートである。
【図１２】本発明の一実施の形態にかかるセンタサーバにおける画像登録部の処理を示すフローチャートである。
【図１３】本発明の一実施の形態にかかる画像−カテゴリ対応テーブルを示す図である。
【図１４】本発明の一実施の形態にかかる画像の検索処理を示すフローチャートである。
【図１５】本発明の一実施の形態にかかるカテゴリ検索を示す図である。
【図１６】本発明の一実施の形態にかかるキーワード検索を示す図である。
【図１７】本発明の一実施の形態にかかるキーワードテーブルを示す図である。
【符号の説明】
１０１  クライアントコンピュータ
１０２  ホルダコンピュータ
１０３  センタサーバ
１１０  ネットワーク
３０１  文書提供部
３０２  マスタ用画像提供部
３０３  画像登録部
３０４  同期手段
３０５  プリントオーダ受注部
３０６  プリント部
３０９  ホルダ用画像提供部
３１１  画像格納装置
３１２  マスタ用画像位置管理テーブル
３１３  ホルダ用画像位置管理テーブル
３１４  マスタＤＢ
３１５  ホルダＤＢ
３１６  アップロードファイル一時格納装置
４０１  ネットワーク閲覧部
４０２  データ処理部
４０３  拡張部（プラグイン）
５０１  ネットワーク閲覧部
５０２  画像作成部
５０３  各種データ入力部
５０４  アップロードファイル作成部
９０１  カテゴリＩＤ
９０２  カテゴリ名
９０３  親カテゴリＩＤ
９１０  センタサーバにおけるカテゴリ構造テーブルの例
９１１、９１２、９１３、９１４、９１５、９１６  カテゴリ構造データの例
１０００  入出力バス
１００１  中央演算処理装置（ＣＰＵ）
１００２  ランダムアクセスメモリ（ＲＡＭ）
１００３  リードオンリーメモリ（ＲＯＭ）
１００４  ネットワークインターフェース（ＮＥＴＩＦ）
１００５  ビデオＲＡＭ（ＶＲＡＭ）
１００６  表示装置（ＣＲＴ）
１００７  コントローラ（ＫＢＣ）
１００８  外部入力装置（ＫＢ）
１００９  ハードディスクドライブ（ＨＤＤ）
１０１０  外部入出力装置（ＦＤＤ）
１０１１  プリンタ制御装置（ＰＲＴＣ）
１０１２  外部出力装置（ＰＲＴ）
１０１３  拡張外部入出力装置制御装置（ＣＬＴＲ）
１０１４  拡張外部入出力装置（スキャナ）
１１０１  イメージＩＤ
１１０２  画像格納場所
１１１０  センタサーバにおける画像位置管理テーブルの例
１１１１、１１１２、１１１３、１１１４  画像位置管理データの例
１４０１  イメージＩＤ
１４０２  カテゴリＩＤ
１４１０  センタサーバにおける画像−カテゴリ対応テーブルの例
１４１１、１４１２、１４１３、１４１４、１４１５、１４１６、１４１７、１４１８、１４１９  画像−カテゴリ対応データの例
１６０１  画像格納部の例
１６０２、１６０３  カテゴリの例
１６０４  最下層のカテゴリの例
１７０１  キーワード検索
１７０２  キーワード入力部
１７０３  検索開始ボタン
１８０１  イメージＩＤ
１８０２  キーワード
１８１０  センタサーバにおけるキーワードテーブルの例
１８１１、１８１２、１８１３、１８１４、１８１５、１８１６、１８１７、１８１８、１８１９  キーワードデータの例
【図１】
2004178177.tif 000003
【図２】
2004178177.tif 000004
【図３】
2004178177.tif 000005
【図４】
2004178177.tif 000006
【図５】
2004178177.tif 000007
【図６】
2004178177.tif 000008
【図７】
2004178177.tif 000009
【図８】
2004178177.tif 000010
【図９】
2004178177.tif 000011
【図１０】
2004178177.tif 000012
【図１１】
2004178177.tif 000013
【図１２】
2004178177.tif 000014
【図１３】
2004178177.tif 000015
【図１４】
2004178177.tif 000016
【図１５】
2004178177.tif 000017
【図１６】
2004178177.tif 000018
【図１７】
2004178177.tif 000019